(57)【要約】【課題】非接触ICチップ搭載の携帯電話を利用して該携帯電話のユーザーが買物をしたときにタイミング良く該携帯電話へ広告情報を配信することができ、よって大きな商品宣伝効果を期待することができる広告配信方法を提供する。【解決手段】店舗内に設置したPOSレジ連携のリーダ／ライタに非接触ICチップ搭載の携帯電話をかざして電子マネーの課金通信を行なう際にリーダ／ライタから携帯電話へと広告情報を配信し、この広告情報の配信は、リーダ／ライタ、携帯電話内の非接触ICチップ、および携帯電話内の非接触ICチップ制御アプリケーションソフトウェアによる三者間通信にて行なう。また、配信する広告情報は、商品に付されるとともにPOSレジにて読み取られてストアコンピュータへ送信される商品毎の固有情報に応じて予め定めたものをストアコンピュータからPOSレジを介してリーダ／ライタへ送信する。【選択図】図１
2007087096.tif 000002
【特許請求の範囲】
【請求項１】
店舗内に設置したPOSレジ連携のリーダ／ライタに非接触ICチップ搭載の携帯電話をかざして電子マネーの課金通信を行なう際に前記リーダ／ライタから前記携帯電話へと広告情報を配信し、
前記広告情報の配信は、前記リーダ／ライタ、前記携帯電話内の非接触ICチップ、および前記携帯電話内の非接触ICチップ制御アプリケーションソフトウェアによる三者間通信にて行なうことを特徴とする広告配信方法。
【請求項２】
請求項１の広告配信方法において、
配信する広告情報は、商品に付されるとともにPOSレジにて読み取られてストアコンピュータへ送信される商品毎の固有情報に応じて予め定めたものを前記ストアコンピュータから前記POSレジを介してリーダ／ライタへ送信することを特徴とする広告配信方法。
【請求項３】
商品に付された商品毎の固有情報をPOSレジにて読み取ってストアコンピュータへ送信するステップと、受信した商品毎の固有情報に応じて予め定めた広告情報を前記ストアコンピュータから前記POSレジを介してリーダ／ライタへ送信するステップと、受信した広告情報を前記リーダ／ライタから前記リーダ／ライタにかざされる非接触ICチップ搭載の携帯電話へ配信するステップとを有し、
前記広告情報の配信は、前記リーダ／ライタ、前記携帯電話内の非接触ICチップ、および前記携帯電話内の非接触ICチップ制御アプリケーションソフトウェアによる三者間通信にて行なうことを特徴とする広告配信方法。
【発明の詳細な説明】
【技術分野】
【０００１】
本発明は、広告配信方法に係り、更に詳しくは、昨今広く普及している携帯電話へ向けて電子広告情報を配信するための広告配信方法に関するものである。
【背景技術】
【０００２】
昨今における携帯電話の普及率は目覚ましく、なかでも電子マネーをやり取りする機能を備えた携帯電話が開発されている。これは例えばソニー社製FeliCa（商品名）等の非接触ICチップとそのアプリケーションソフトウェアを携帯電話内に組み込んだものであって、買物をするときにこれを店舗内に設置したPOSレジ連携のリーダ／ライタにかざすと、電子マネーバリューの書き換え通信が行なわれ、すなわち代金の支払いが行なわれる。したがって、携帯電話のユーザーにとっては買物に際して現金を持ち歩く必要がないことから重宝されている。
【０００３】
また一般に、タイミングとして買物をした直後は、ユーザーにとって買物や個別の商品への関心が高い状態と考えられることから、このタイミングを逃すことなくユーザーの手元の携帯電話へ商品に関する広告情報を配信することができれば、普段よりも大きな商品宣伝効果を期待することができる。
【０００４】
例えば、或るユーザーが或る店舗にてＡ社製ペットボトル入り茶飲料Ｂを購入したとき、その直後に手元の携帯電話へ該飲料Ｂの広告情報が配信されると、ユーザーにとっては該飲料Ｂについての印象が深まり該飲料Ｂを購入したのだとの記憶が高められることから、再度の購入を期待することが可能となる。また例えば、或るユーザーが或る店舗にてＡ社製ペットボトル入り茶飲料Ｂを購入したとき、その直後に手元の携帯電話へＣ社製ペットボトル入り茶飲料Ｄの広告情報が配信されると、ユーザーにとっては購入直後でペットボトル入り茶飲料への関心が高いところへ広告情報が配信されることから、次回買物時にはこれを買ってみようとなるやも知れず、よって該飲料Ｄの購入を期待することが可能となる。
【０００５】
尚、本発明に対する従来技術を検討すると、下記特許文献１に「広告配信システムおよび広告配信方法」が掲載されており、この従来技術は、配信する広告データに顧客と広告配信元の双方の意向を反映することができる広告配信システムおよび広告配信方法を実現することを解決すべき課題とし、「広告配信サーバは顧客のICチップの識別番号毎に配信希望広告キーワードを記憶しておき、また広告データ毎に広告キーワードを記憶しておく。広告配信サーバは携帯電話機から供給されたICチップの識別番号に基づいて、記憶された配信希望広告キーワードから広告配信要求元の配信希望広告キーワードを特定し、この特定された配信希望広告キーワードと記憶された広告キーワードとを照合して顧客へ配信すべき広告データを特定する。広告配信サーバはこの広告データをクライアントサーバから取得して携帯電話機を通じてICチップレコーダへ供給しICチップへ書き込む」ことを課題解決手段としている。
【０００６】
したがってこの従来技術では、配信すべき広告データは「ICチップの識別番号毎に登録された広告キーワード」を予め記憶しておくことにより行なわれるのに対して、本発明では、ICチップの識別番号は関係なく、POSレジ内にある商品識別コード情報（JANコード）によって都度配信する広告を変更するので、この従来技術と本発明は相違する。またこの従来技術では、広告情報の受け取り方法に関して、通信ネットワーク経由で行なっている。ICチップ自身がネットワークに直接繋がることはできず、必ず携帯電話の通信機能を使わなくては広告情報を受け取れない構成となっている。また店舗に設置されたリーダ／ライタは、すでに携帯電話に入っている広告情報を操作するためのものである。これに対して本発明では、あくまで店舗に設置したリーダ／ライタを通した通信によってICチップ自身が広告情報を受け取るので、この点からしてもこの従来技術と本発明は相違する。
【０００７】
また、下記特許文献２には「メッセージおよびコンテンツ登録・表示システム」が掲載され、この従来技術は、適切な課金処理を行ない、利用者が画像等を含むメッセージを携帯端末を用いて簡易に実現可能にすることを課題とし、「携帯情報端末等が接続されるネットワークに接続された端末装置と、サーバーシステムと、サーバーシステムにアクセスする利用者携帯情報端末とを含み構成されるシステムであって、前記端末装置は、情報提供者が文字データ等の情報を入力するメッセージ入力手段と、画像や動画像、音声などを撮影するためのコンテンツ入力手段と、コンテンツ一時記憶手段と、課金処理手段と、課金が正常に行なわれたことを検知してコンピュータネットワークに接続し、前記の一時記憶されたデータを送信する情報送信手段とを備え、登録されたデータを利用者携帯情報端末において閲覧・返信可能にする」ことを課題解決手段としている。
【０００８】
この従来技術と本発明を比較すると、課金処理と同時にメッセージを配信するという部分について類似性があるものの、実現手段として、携帯電話搭載の非接触ICチップを利用するか否か、またメッセージ送信手段として、三者間通信を利用するか否かにおいて相違しており、本発明には後述するような顕著な効果がある。
【０００９】
【特許文献１】特開２００２−０４９６４０号公報
【特許文献２】特開２００２−２８８５５８号公報
【発明の開示】
【発明が解決しようとする課題】
【００１０】
本発明は以上の点に鑑みて、非接触ICチップ搭載の携帯電話を利用して該携帯電話のユーザーが買物をしたときにタイミング良く該携帯電話へ広告情報を配信することができ、よって大きな商品宣伝効果を期待することができる広告配信方法を提供することを目的とする。
【課題を解決するための手段】
【００１１】
上記目的を達成するため、本発明の請求項１による広告配信方法は、店舗内に設置したPOSレジ連携のリーダ／ライタに非接触ICチップ搭載の携帯電話をかざして電子マネーの課金通信を行なう際に前記リーダ／ライタから前記携帯電話へと広告情報を配信し、前記広告情報の配信は、前記リーダ／ライタ、前記携帯電話内の非接触ICチップ、および前記携帯電話内の非接触ICチップ制御アプリケーションソフトウェアによる三者間通信にて行なうことを特徴とするものである。
【００１２】
また、本発明の請求項２による広告配信方法は、上記した請求項１の広告配信方法において、配信する広告情報は、商品に付されるとともにPOSレジにて読み取られてストアコンピュータへ送信される商品毎の固有情報に応じて予め定めたものを前記ストアコンピュータから前記POSレジを介してリーダ／ライタへ送信することを特徴とするものである。
【００１３】
また、本発明の請求項３による広告配信方法は、商品に付された商品毎の固有情報をPOSレジにて読み取ってストアコンピュータへ送信するステップと、受信した商品毎の固有情報に応じて予め定めた広告情報を前記ストアコンピュータから前記POSレジを介してリーダ／ライタへ送信するステップと、受信した広告情報を前記リーダ／ライタから前記リーダ／ライタにかざされる非接触ICチップ搭載の携帯電話へ配信するステップとを有し、前記広告情報の配信は、前記リーダ／ライタ、前記携帯電話内の非接触ICチップ、および前記携帯電話内の非接触ICチップ制御アプリケーションソフトウェアによる三者間通信にて行なうことを特徴とするものである。
【００１４】
本発明における用語の定義は、以下のとおりである。
「非接触ICチップ搭載携帯電話」・・・・非接触ICチップを搭載した携帯電話。ディスプレイ、ボタン、マイクおよび無線通信機能を備える。
「携帯電話内の非接触ICチップを制御するアプリケーションソフトウェア」・・・・前記携帯電話内の非接触ICチップの内容を表示したり変更したりするための携帯電話内のアプリケーション。
「リーダ／ライタ」・・・・非接触ICチップに対して通信を行ない、非接触ICチップ内の情報の読み出し・書き込みを行なう。通常何らかの手段でPOSレジと接続されており、POSレジとデータのやり取りが可能である。POSレジ側のコマンドを受け取り、動作することができる。
「三者間通信」・・・・前記「リーダ／ライタ」「携帯電話内の非接触ICチップ」「携帯電話内の非接触ICチップを制御するアプリケーションソフトウェア」の三者が通信すること。具体的には、リーダ／ライタから非接触ICチップを通してアプリケーションソフトを起動すること。非接触ICチップ搭載携帯電話の基本機能である。「リーダ／ライタからの三者間通信によって携帯電話内の非接触ICチップ制御アプリケーションを起動」という言い方を用いる。
「POSレジ」・・・・商品バーコードをバーコードリーダで読み取り、購買データをストアコンピュータに格納する機能を持ったレジ。ストアコンピュータと何らかの手段を用いてデータ交換が可能であるレジ。
「ストアコンピュータ」・・・・ホストコンピュータと定期的に通信回線を通して通信し、購買データをホストコンピュータにアップロードし、バーコード（JANコード）と商品名の対データをホストコンピュータからダウンロードする機能を持つ。上記機能を実現するサーバとデータベースにより構成されるコンピュータ。
「ホストコンピュータ」・・・・一般的なデータベースの読み書き、データの通信機能を有するコンピュータ。
「電子マネー」・・・・ICチップ内に保存された通貨と同様の価値を持つ数値情報であり、前払い方式で数値情報を蓄積するものや、クレジットカードのように後払い方式で数値情報分の利用金額を支払うものなどが存在する。本発明ではこれらの方式をすべて含む。
【００１５】
上記本発明の請求項１による広告配信方法において、非接触ICチップ搭載の携帯電話を所持するユーザーが商品Ｅを購入しようとしてレジカウンターへ持ってゆくと、店員は商品ＥをPOSレジにかざし、一方、ユーザーは携帯電話をリーダ／ライタにかざす。POSレジは、商品Ｅに付された商品毎の固有情報を読み取ってストアコンピュータへ送信し、ストアコンピュータは、商品毎の固有情報に応じた請求金額データおよび広告データをPOSレジを介してリーダ／ライタへ送信する。ユーザーが携帯電話で電子マネーの支払いをしようと上記したように携帯電話をリーダ／ライタにかざすと、上記三者間通信が行なわれ、これによりリーダ／ライタから携帯電話へと請求金額データおよび広告データが送信される。
【００１６】
尚、本発明の請求項２の配信方法によれば、配信する広告情報は、商品に付されるとともにPOSレジにて読み取られてストアコンピュータへ送信される商品毎の固有情報に応じて予め定めたものであり、請求項３の配信方法によれば、受信した商品毎の固有情報に応じて予め定めた広告情報をストアコンピュータからPOSレジを介してリーダ／ライタへ送信することから、例えばユーザーがペットボトル入り茶飲料を購入したときには同種または異種のペットボトル入り茶飲料に関する広告情報を配信するというように、ユーザーが購入した商品とユーザーへ配信する広告情報に係る商品とを関連付けることが可能となる。
【００１７】
また、配信の手順としては請求項３に記載したように、商品に付された商品毎の固有情報をPOSレジにて読み取ってストアコンピュータへ送信するステップと、受信した商品毎の固有情報に応じて予め定めた広告情報をストアコンピュータからPOSレジを介してリーダ／ライタへ送信するステップと、受信した広告情報をリーダ／ライタから該リーダ／ライタにかざされる非接触ICチップ搭載の携帯電話へと配信するステップとを有することになる。
【発明の効果】
【００１８】
本発明は、以下の効果を奏する。
【００１９】
すなわち、上記本発明の各請求項による広告配信方法においては、非接触ICチップ搭載の携帯電話を利用して該携帯電話のユーザーが買物をしたときにタイミング良く該携帯電話に広告情報が配信されることから、大きな商品宣伝効果を期待することができる。携帯電話への配信は三者間通信によって行われ、電話回線やｅメール等の通信回線を利用するものではないことから、例えば地下街などの電波通信状態が良くない環境下でも良好に配信することができる。また、ユーザーにとっては、携帯電話のボタン操作やパケット代の支払い等をまったくすることなく受動的に広告情報を受け取ることができるメリットがある。
【００２０】
またこれに加えて、請求項２または３のように、購入商品と配信する広告情報に係る商品とが関連付けられる場合には、商品同士が関係深いので、一層大きな商品宣伝効果を期待することができる。
【発明を実施するための最良の形態】
【００２１】
尚、本発明の広告配信方法は、システムないしアプリケーションとしては以下の内容を有している。
（１）商品毎の固有情報（JANコード）に応じて広告情報を配信できる広告配信システム。以下の機能を有する技術の組み合わせを特徴とする広告配信システムである。
（１−１）広告情報を格納しているホストコンピュータ。
（１−２）ホストコンピュータと通信回線を介して受信した広告情報と、POSレジからネットワークを介して受け取った商品毎の固有情報（JANコード）の組み合わせにより配信する広告情報を選定し、POSレジへ配信できるストアコンピュータ。
（１−３）上記ストアコンピュータから受け取った広告情報をリーダ／ライタへ配信できるPOSレジ。
（１−４）POSレジから受け取った広告情報を三者間通信のかたちで携帯電話の非接触ICチップに配信できるリーダ／ライタ。
【００２２】
（２）商品毎の固有情報に応じた広告情報を受信できる広告受信アプリケーション。以下のプログラムの組み合わせを特徴とする広告受信アプリケーションである。
（２−１）上記（１）の広告配信システムから発信された商品毎の固有情報に応じた広告情報の受信プログラム。
（２−２）携帯電話のボタン操作をせず、商品毎の固有情報に応じた広告情報をディスプレイに表示する表示プログラム。
（２−３）ＷＷＷを介さず、ICチップとリーダ／ライタの通信機能によって、ICチップに情報を格納できる情報操作プログラム。
（２−４）上記（２−１）で実現している広告情報受信と同時に電子マネーのバリュー等複数に仕切られたICチップの空き領域に情報を格納できる情報操作プログラム。
（２−５）携帯電話内に格納されている商品毎の固有情報を蓄積し、携帯電話内で新たな情報を生成できる情報生成プログラム。
【００２３】
つぎに本発明の実施例を図面にしたがって説明する。
【００２４】
図１は、本発明の実施例に係る広告配信方法の実施に使用する装置構成説明図であって、以下のように構成されている。
【００２５】
すなわち先ず、ユーザーが所持することになる非接触ICチップ搭載型の携帯電話１があり、この携帯電話１は、ディスプレイ、ボタン、マイクおよび無線通信等の通常の携帯電話機能を備えるとともに、上記FeliCa（商品名）等の非接触ICチップ２と非接触ICチップ制御アプリケーションソフトウェア３とを有して電子マネーの支払い機能を有し、更にアプリケーションソフトウェア３は上記（２）〜（２−５）等を有して広告データ（広告情報）を受信、加工および表示するように構成されている。
【００２６】
また、店舗側に設置されるとともに互いにネットワークで連携されるリーダ／ライタ４、POSレジ５およびストアコンピュータ６があり、ストアコンピュータ６は公衆ネットワーク７等の通信回線を通じてホストコンピュータ８と常時リアルタイムで情報のやり取りをする。このストアコンピュータ６とホストコンピュータ８は、前者６から後者８へ定期的に売り上げ品目データをアップロードしたり、後者８から前者６へ定期的に広告データをダウンロードしたりする。ホストコンピュータ８は、適宜更新または追加される広告データを格納し、これをストアコンピュータ６へ送信する機能を有している。ストアコンピュータ６は、ホストコンピュータ８から受信した広告データと、POSレジ５から受信した商品毎の固有情報であるJANコードとの組み合わせによって、配信する広告データを選定し、該広告データをPOSレジ５へ配信する機能を有している。POSレジ５は、ストアコンピュータ６から受信した広告データをリーダ／ライタ４へ送信する機能を有している。リーダ／ライタ４は、POSレジ５から受信した広告データを三者間通信のかたちで携帯電話１の非接触ICチップ２へ配信する機能を有している。
【００２７】
図２のフローに示すように、上記非接触ICチップ搭載型の携帯電話１を所持するユーザーが商品Ｅを購入しようとしてレジカウンターへ持ってゆくと、店員は商品ＥをPOSレジ５にかざし（Ｓ１０１）、一方、ユーザーは携帯電話１をリーダ／ライタ４にかざす。POSレジ５は、商品Ｅに付されたJANコードを読み取って（Ｓ１０２）ストアコンピュータ６へ送信し（Ｓ１０３）、ストアコンピュータ６は、ホストコンピュータ８からのデータ送信を受けて、JANコードに応じた請求金額データおよび広告データをPOSレジ５を介してリーダ／ライタ４へ送信する（Ｓ１０４）。ユーザーが携帯電話１で電子マネーの支払いをしようと上記したように携帯電話１をリーダ／ライタ４にかざすと（Ｓ１０５）、三者間通信が行なわれて、これによりリーダ／ライタ４から携帯電話１の非接触ICチップ２へ請求金額データおよび広告データが送信され（Ｓ１０６）、課金処理が実行されるとともに（Ｓ１０７）、広告データが出力される（Ｓ１０８）。広告データは一般には画像（動画または静止画）データであるが、音声データ等であっても良い。配信する広告情報は、商品Ｅに付されるとともにPOSレジ５にて読み取られてストアコンピュータ６へ送信されるJANコードに応じて予め定めたものである。したがって、上記したように購入商品と配信する広告情報に係る商品とが関連付けられることから、大きな商品宣伝効果を期待することができる。
【図面の簡単な説明】
【００２８】
【図１】本発明の実施例に係る広告配信方法の実施に使用する装置構成説明図
【図２】同広告配信方法の手順を示すフローチャート
【符号の説明】
【００２９】
１  非接触ICチップ搭載の携帯電話
２  非接触ICチップ
３  非接触ICチップ制御アプリケーションソフトウェア
４  リーダ／ライタ
５  POSレジ
６  ストアコンピュータ
７  公衆ネットワーク
８  ホストコンピュータ
【図１】
2007087096.tif 000003
【図２】
2007087096.tif 000004